(57)【要約】【課題】ラドンガスを発生させて上部側へ効率的に拡散できるラドン発生拡散装置を提供する。【解決手段】筒状体１０の下端に通気性の底蓋部材１１を備えると共に上端に気体流通孔を有する上蓋部材１２を備えたラドン発生部１と、筒状体の下端部側を固定して設け、筒状体を起立してラドン発生部を設置する設置手段２と、筒状体内に充填した所望数のラジウムセラミック３…３と、上蓋部材上に固定して設けた送風機４と、排気孔を有し、送風機の上部側に固定して設けた頂部カバー部５とを備える。ラジウムセラミックから発生するラドンガスを送風機で筒状体内から筒状体外へ吸引して頂部カバー部の排出孔から上方へ拡散して排出する。【選択図】図１
0003205370.tif 000002
【実用新案登録請求の範囲】
【請求項１】
筒状体の下端に通気性の底蓋部材を備えると共に上端に気体流通孔を有する上蓋部材を備えたラドン発生部と、
前記筒状体の下端部側を固定して設け、前記筒状体を起立して前記ラドン発生部を設置する設置手段と、
所望の大きさ、かつ、所望の形状に形成され、前記筒状体内に所望数充填したラジウム含有のラジウムセラミックと、
前記上蓋部材上に載置固定して設けた送風機と、
排気孔を有し、前記送風機の上部側に固定して設けた頂部カバー部とを備え、
前記ラジウムセラミックから発生するラドンガスを前記送風機で前記筒状体内から前記筒状体外へ吸引して前記頂部カバー部の排出孔から上方へ拡散して排出するように構成されている
ことを特徴とするラドン発生拡散装置。
【請求項２】
前記ラジウムセラミックは、粉状又は粒状のラジウム鉱石に添加材を混練して所望の大きさ、かつ、所望の形状に形成した成形体を、所望の温度で焼成して得られたセラミックで構成されていることを特徴とする請求項１に記載のラドン発生拡散装置。
【請求項３】
前記頂部カバー部から前記筒状体の下端部までの間の周囲を略全体的に被覆して設ける外装体をさらに備えていることを特徴とする請求項１又は２に記載のラドン発生拡散装置。
【請求項４】
前記設置手段は、ベース台部と、前記筒状体を前記ベース台部に固定する固定具とを含んで構成されていることを特徴とする請求項１に記載のラドン発生拡散装置。
【請求項５】
前記底蓋部材の下部側に着脱自在に設けたフィルタをさらに備えていることを特徴とする請求項１ないし４のいずれかに記載のラドン発生拡散装置。
【考案の詳細な説明】
【技術分野】
【０００１】
本考案はラドン発生拡散装置に関する。さらに詳しくは、ラジウムセラミックからラドンを発生させて上方部へ拡散するラドン発生拡散装置に関する。
【背景技術】
【０００２】
ラドン（原子番号８６）は、無色無臭の放射性の気体で、希ガスの中で最も重い元素である。ラドン（原子量２２２）は、ラジウム（原子量２２６）のアルファ崩壊によって発生する。ラドンの半減期は約３．８日であるが、ラジウムからはラドンが次々と放出される。
【０００３】
ラドンの半減期は上述したように約３．８日であり、人間の健康の維持・増進や疲労回復、予防医薬などの目的のために利用するには好適な元素である。ラドンは自然界の雰囲気中にも存在しており、人間は無意識のうちに一定量のラドンを呼吸により吸入している。また、現在においては、血液中に取り込まれたラドンから発生するアルファ線による刺激（ホルミシス）効果にも注目が集まり、ラドンの有効的な利用方法が検討されている。
【０００４】
従来、ラドンを友好的に利用する技術として、例えば、ラドンガスを積極的に口から体内に取込む吸入器が提案されている（例えば、特許文献１参照）。
【０００５】
特許文献１に記載の吸入器（以下、「先行技術」という。）は、上端開口の有底の容器と、容器の上端開口部に密閉状態で取付けた蓋と、前記蓋に設けた孔を通して前記容器内に挿入した吸気管とを備える。そして、前記容器内には、ラドンガスを発生する鉱石が充填され、吸気管の吸入口を通してラドンガスを吸入可能に構成したものである。
【先行技術文献】
【特許文献】
【０００６】
【特許文献１】特開２００７−３１３２７４号公報
【考案の概要】
【考案が解決しようとする課題】
【０００７】
先行技術によれば吸気管からラドンガスを吸うことにより、口からラドンガスを体内に取り込むことができる。しかし、先行技術は吸入器タイプに構成されているため、使用者専用、即ち、使用者しかラドンガスを吸入することができなかった。また、ラドンガスを吸うためには、容器を手で持ち、吸気口を口に当て続けてラドンガスを吸う作業を行なう必要があるため、吸入作業に手間が掛る問題を有している。
【０００８】
本考案は上記のような実情に鑑み、室内へ設置してラドンガスを発生させて上方部へ効率よく円滑良好に拡散して室内の空気中に含有させることができるラドン発生拡散装置を提供することを目的とするものである。
【課題を解決するための手段】
【０００９】
上記目的を達成するため、本考案のうち１つの考案（第１の考案）は、筒状体の下端に通気性の底蓋部材を備えると共に上端に気体流通孔を有する上蓋部材を備えたラドン発生部と、
前記筒状体の下端部側を固定して設け、前記筒状体を起立して前記ラドン発生部を設置する設置手段と、
所望の大きさ、かつ、所望の形状に形成され、前記筒状体内に所望数充填したラジウム含有のラジウムセラミックと、
前記上蓋部材上に載置固定して設けた送風機と、
排気孔を有し、前記送風機の上部側に固定して設けた頂部カバー部とを備え、
前記ラジウムセラミックから発生するラドンガスを前記送風機で前記筒状体内から前記筒状体外へ吸引して前記頂部カバー部の排出孔から上方へ拡散して排出するように構成されていることを特徴とする。
【００１０】
上記のように構成すると、ラジウムセラミックからはラドンガスが次々と発生し、筒状体内へ放出される。そして、筒状体内のラドンガスは、前記送風機により筒状体外へ吸引され、頂部カバー部材の排出孔から上方へ拡散して排出される。このように、筒状体内のラジウムセラミックから発生したラドンガスを効率よく円滑良好に上方部へ拡散して排出することができる。
【００１１】
本考案の他の１つの考案（第２の考案）は、第１の考案のラドン発生拡散装置において、前記ラジウムセラミックは、粉状又は粒状のラジウム鉱石に添加材を混練して所望の大きさ、かつ、所望の形状に形成した成形体を、所望の温度で焼成して得られたセラミックで構成されていることを特徴とする。
【００１２】
本考案のさらに他の１つの考案（第３の考案）は、第１及び第２の考案のラドン発生拡散装置において、前記頂部カバー部から前記筒状体の下端部までの間の周囲を略全体的に被覆して設ける外装体をさらに備えていることを特徴とする。
【００１３】
本考案のさらに他の１つの考案（第４の考案）は、第１の考案のラドン発生拡散装置において、前記設置手段は、ベース台部と、前記筒状体を前記ベース台部に固定する固定具とを含んで構成されていることを特徴とする。
【００１４】
本考案のさらに他の１つの考案（第５の考案）は、第１ないし第４の考案のラドン発生拡散装置において、前記底蓋部材の下部側に着脱自在に設けたフィルタをさらに備えていることを特徴とする。
【考案の効果】
【００１５】
本考案によれば、次のような作用効果を奏する。
（１）ラジウムセラミックからラドンガスを効率的に発生させて筒状体内に放出し、このラドンガスを効率よく円滑良好に上方部へ拡散して筒状体から排出することができる。
（２）本考案装置を室内へ設置することにより、室内雰囲気中にラドンガスを含有させることができる。したがって、前記室内の在室者は不意識のうちにラドンガスを吸入することになる。
（３）第５の考案によれば、前記効果に加え、粉塵をフィルタで捕集して筒状体内へ侵入するのを防止できる。
【図面の簡単な説明】
【００１６】
【図１】本考案の一実施形態のラドン発生拡散装置の構成を概略的に示す説明縦断面図である。
【図２】前記装置に採用されたフィルタの支持用ホルダーの構成を概略的に示す図であって、同図（ａ）は説明底面図、同図（ｂ）は説明側面図である。
【図３】前記装置に採用したラジウムセラミックの構成を概略的に示す説明図である。
【図４】前記支持用ホルダーの一部の構成を拡大し、その作用を示す説明図である。
【図５】前記装置によるラドンガスの拡散作用を概略的に示す説明図である。
【考案を実施するための形態】
【００１７】
以下、図面を参照して本考案の実施形態の一例について説明する。
【００１８】
図１ないし図５は本考案の一実施形態のラドン発生拡散装置を示す。
【００１９】
図１ないし図５に示すように、本実施形態のラドン発生拡散装置は、ラドン発生部１と、設置手段２と、所望数のラジウムセラミック３…３と、送風機４と、頂部カバー部５と、外装体６とを備える。
【００２０】
ラドン発生部１は、所望の大きさの円筒状や角筒状等（本実施形態では円筒状）の筒状体１０と、筒状体１０の下端に固定して設けた通気性の底蓋部材１１と、所望数の気体流通孔１３…１３を有し、筒状体１０の上端部に嵌合固定して設けた上蓋部材１２とを備える。底蓋部材１１は多数の通気孔１１ａ…１１ａにより通気性が付与されている。
【００２１】
筒状体１０の大きさ（容積）は特に限定されないが、例えば、直径約１５ｃｍ〜約２０ｃｍ、高さ約３０ｃｍ〜約４０ｃｍ程度に形成できる。但し、上記範囲内に限定するものではない。
【００２２】
ラドン発生部１の各部材の構成素材は特に限定されないが、例えば所望のプラスチック材等を採用することができる。
【００２３】
本実施形態のラドン発生拡散装置は、筒状体１０の底蓋部材１１の下部側に支持用ホルダー１５で着脱可能に押圧支持させて設けたフィルタ１４を備える。この構成については追って詳述する。
【００２４】
前記設置手段２は、筒状体１０の下端部側を固定して設け、筒状体１０を起立してラドン発生部１を室内等の所望部に設置する手段である。
【００２５】
本実施形態の設置手段２は、筒状体１０より幾分大径のリング状等に形成したベース台部２０と、筒状体１０の下端部をベース台部２１上に固定する固定具２１とを備える。そして、固定具２１を介してビス等（図示せず）により、筒状体１０をベース台部２０に固定してある。これにより、筒状体１０を起立してラドン発生部、即ち、ラドン発生拡散装置を所望部に立設して設置し得るように構成してある。
【００２６】
なお、本実施形態では、ベース台部の底部に周方向に等分間隔で設けたゴム製の足台部２２を備える。本実施形態では等分間隔で足台部２２を４個設けた例が開示されている。これにより、ラドン発生拡散装置を滑り及びガタツキを防止して安定して設置できるように構成してある。
【００２７】
前記ラジウムセラミック３は、所望の大きさ、かつ、所望の大きさのラジウム含有のセラミックで構成され、筒状体１０内に所望数充填されている。
【００２８】
本実施形態のラジウムセラミック３は、粉状又は粒状のラジウム鉱石に添加材を混練して所望の大きさ、かつ、所望の形状に形成した成形体を、所望の温度で焼成して得られたセラミックで構成されている。
【００２９】
ここで、ラジウムセラミック３の製造方法の一例について説明する。
【００３０】
まづ、ラジウム鉱石の原石を粉状又は粒状に砕く。ラジウム鉱石は粒径が例えば約０．１μｍ〜約１００μｍ程度の粉体、又は粒径例えば約０．１ｍｍ〜約１．０ｍｍ程度の粒体を採用できる。但し、上記範囲内に限定するものではない。
【００３１】
次に前記粉状又は粒状のラジウム鉱石に添加材を混合して十分に練り合わせて所望の大きさ、かつ、所望の形状の成形体を得る。前記成形体は、例えば直径約５ｍｍ〜約１０ｍｍの球形等に形成することができる。本実施形態では球形に形成されている。そして、前記成形体を所望温度で所望時間焼成してラジウムセラミックを得る。
【００３２】
前記成形体の焼成温度としては、例えば約５００℃〜約１０００℃程度の範囲を挙げることができる。また、焼成時間としては、例えば約５時間ないし約２０時間程度の範囲を挙げることができる。但し、上記範囲内に限定するものではない。
【００３３】
本実施形態においては、前記添加材として、粘土及びおが屑を採用し、これに水を加えて混練する方法を採用している。ラジウム鉱石（粉状又は粒状）に対する添加材の配合割合としては、例えば成形体の全重量に対し、例えば、ラジウム鉱石を約８０重量％、粘土を約１０重量％、おが屑を約５重量％、水を約５重量％程度の範囲を挙げることができる。
【００３４】
なお、上記した製造方法は一例として開示したもので、上記に限定するものではなく、任意に変更可能なものである。また、所望に応じて、添加材として、例えば、マイナスイオンを発生する成分を混入することもできる。
【００３５】
上記のように製造した所望数のラジウムセラミック３…３を筒状体１０内に充填されている。本実施形態では、筒状体１０内の略上端部側近くまで充填した例が開示されている。これにより、筒状体内の各ラジウムセラミックからラドンガスが次々と発生して筒状体内へ放出するように構成されている。
【００３６】
前記送風機４は、筒状体１０内へ放出されて貯留しているラドンガスを筒状体外へ吸引して上方へ拡散して筒状体外へ排出するものである。
【００３７】
送風機４は、上蓋部材１２上に載置固定して設けてある。送風機４としては、静音タイプの送風機を採用することが好ましい。本実施形態では既製の省エネ型の静音タイプのプロペラファンを採用している。
【００３８】
送風機４は、複数枚のプレート（羽根）と、プレートを支持するハブと、モータと、取付体とを備え、取付体を介して上蓋部材１２上に載置固定して設けてある。送風機のモータを駆動させる電源としては、ＡＣコンセントやバッテリを採用できる。本実施形態では電源として、１００〜２４０ＶのＡＣコンセント（入力電圧）を採用している。また、出力電圧はＤＣ１２Ｖに設定されている。
【００３９】
また、本実施形態では、図示しないが、例えば設置手段２のベース台部２０の所望部にＤＣジャック及び電源スイッチを備えている。上記により、電源スイッチをＯＮにして送風機のモータを駆動することにより、筒状体１０内のラドンガスを筒状体外へ吸引して上方へ拡散して排出するように構成されている。
【００４０】
また、上記の場合において、例えば、筒状体１０の外周下方部に位置させて、電子回路の基板をベース台部に固定して設け、送風機のモータの駆動を所望のタイミングで間欠的にＯＮ・ＯＦＦして調整するように構成してもよい。また、例えば、筒状体１０の外周面の所望の部位に青色や白色その他の所望色を発光するＬＥＤ（発光ダイオード）を設け、ＬＥＤで所望色を発光させるように構成してもよい。
【００４１】
前記頂部カバー部５は、上板部５０に排気孔５１…５１を有し、送風機４の上部側に固定して設けてある。上記により、筒状体１０内のラドンガスは送風機４を駆動することにより、図５に矢印で示すように、順次吸引されて筒状体外へ送風され、頂部カバー部５の排気孔を通って上方へ拡散して排出するように構成されている。
【００４２】
本実施形態のラドン発生拡散装置は、底蓋部材１１の下部側（下面側）に着脱自在に設けたフィルタ１４と、フィルタ１４を着脱自在に支持する支持用ホルダー１５を備えている。
【００４３】
本実施形態の支持用ホルダー１５は、通気孔１６ａを有し、フィルタ１４の直径より幾分大径の概略円盤状に形成したホルダー本体１６と、本体１６の外周部の下面に略垂直に突設した複数本（図示では４本）の係合片１７…１７とを備える。各係合片１７は弾発力を有している。
【００４４】
前記支持用ホルダー１５を取外し可能に取付けてフィルタ１４を支持させるように構成してある。本実施形態では、図２及び図４に示すように、ベース台部２０の内周面の所定の部位に位置させて、周方向に向けて環状に形成した係合段部１７ａ（符号１７ａは図４参照）を設けてある。また、各係合片１７には前記段部１７ａと対応する部位に位置させて外方へ突出させて設け、前記段部１７ａと係合する係合突部１７ｂを備える。また、ホルダー本体１６の下面中心部には、ホルダー１５を引き抜くための引張り杆１８を備える。
【００４５】
そして、フィルタ１４を底蓋部材１１の下部にセットし、この状態でホルダーの本体１６をフィルタ１４に当接するように、ベース台部２０内に挿入することにより、各係合片１７は突部１７ｂがベース台部２０の内壁面と当接して押圧されるので内方側に弾性的に変形して摺接しながら移動する。そして、突部１７ｂが段部１７ａの位置に達する時点において、各係合片１７は自己弾発力により弾性的に復帰し、段部１７ａに係合して係止する。
【００４６】
上記操作により、ホルダー本体１６の外周縁部は底蓋部材１１の下面に当接してフィルタ１４を支持する。また、上記状態で引張り杆１８を摘んで引張ることにより、ホルダー１５を引き抜くことができる。そして、ホルダーから取外して水洗い等で掃除することができる。
【００４７】
本実施形態のように、フィルタ１４を設けることにより、送風機４で吸気する際に、吸気中における粉塵をフィルタで捕集して筒状体内へ粉塵が侵入するのを防止することができる。
【００４８】
前記外装体６は、頂部カバー部５から筒状体の下端部までの間の周囲を略全体的に被覆して設け、意匠的効果を呈することを主な１つの目的とするためのものである。
【００４９】
本実施形態の外装体６は、上下端を開口した概略楕円形状の筒状形に形成されている。本実施形態の外装体６は、外筒体６０と、外筒体６０の外側に重合して外筒体６０に固着して設けた外面パネル６１とを備えて構成されている。
【００５０】
本実施形態の外装体６は、頂部カバー部５から筒状体１０の下端部へ嵌装してある。そして、外面パネル６１の下端部をベース台部２０に設けた凹溝（符号は省略）へ係入して所望の固定手段で固定すると共に外筒体６０の上端部を内側へ折曲し、この折曲部の先端部側を頂部カバー部５の上端近くの外周部に係合して装着されている。
【００５１】
前記外装体６の外面パネル６１は、所望の色で彩色され、意匠的効果を付与されている。また、所望に応じて任意の模様や図柄等を印刷等で施してもよい。そして、外面パネルの色等を変えることで洋室向けや和室向けの商品になる。
【００５２】
なお、前記ラドン発生部１、設置手段２（但し、ビス等を除く。）、頂部カバー部５、外装体６等の構成素材は特に限定されないが、例えば所望のプラスチック材等を採用することができる。
【００５３】
本実施形態のラドン発生拡散装置は上記のように構成され、次のような作用効果を奏する。筒状体内の各ラジウムセラミックからラドンガスが次々と発生して筒状体１０内に貯留される。そこで、送風機４を駆動することにより、図５に矢印で示すように、筒状体内のラドンガスは送風機により上方へ順次吸引されて上蓋部材１２の気体流通孔１３を通って筒状体外へ送風され、頂部カバー部５の排気孔５１を通って上方へ拡散して排出される。したがって、本考案装置を室内へ設置することにより、室内雰囲気中にラドンガスを含有させることができる。
【００５４】
また、底蓋部材１１の下部側（下面側）にはフィルタ１４を備えているので、送風機４で吸気する際に、粉塵をフィルタで捕集して筒状体内へ粉塵が侵入するのを防止する。
【００５５】
なお、上記した実施形態は一例として開示したもので、本考案は上記実施形態に限定されるものではなく、実用新案登録請求の範囲に記載の技術思想を越脱しない範囲において任意に変更可能なものである。
【符号の説明】
【００５６】
１        ラドン発生部
２        設置手段
３        ラジウムセラミック
４        送風機
５        頂部カバー部
６        外装体
１０      筒状体
１１      底蓋部材
１２      上蓋部材
１３      気体流通孔
１４      フィルタ
５０      上板部
５１      排気孔
【図１】
0003205370.tif 000003
【図２】
0003205370.tif 000004
【図３】
0003205370.tif 000005
【図４】
0003205370.tif 000006
【図５】
0003205370.tif 000007